(57)【特許請求の範囲】
【請求項１】
高速ダウンリング・パケット・アクセス（ＨＳＤＰＡ）システムの動作モードを制御する方法であって、
前記ＨＳＤＰＡシステムの高速共用制御チャネル（ＨＳ−ＳＣＣＨ）レス動作モードのアクティブ状態を変更する必要があるか否かを判断すること（１０２）と、
前記ＨＳ−ＳＣＣＨレス動作モードのアクティブ状態を変更する必要がある場合、ユーザ装置（ＵＥ）に、前記ＨＳ−ＳＣＣＨレス動作モードをアクティブ又は非アクティブにするように指示するため、前記ＵＥに物理層伝達信号を送信すること（１０３，１０５）と、
を含み、
前記物理層伝達信号は、前記ＨＳ−ＳＣＣＨレス動作モードをアクティブ又は非アクティブにするためのＨＳ−ＳＣＣＨ命令であり、
命令タイプが０００であり、且つ、前記ＨＳ−ＳＣＣＨレス動作モードをアクティブ又は非アクティブにするビットがアクティブの実行を指示する値に設定されている前記ＨＳ−ＳＣＣＨ命令が、前記ＨＳ−ＳＣＣＨレス動作モードをアクティブにする命令として機能する、
方法。
【請求項２】
命令タイプが０００であり、且つ、前記ＨＳ−ＳＣＣＨレス動作モードをアクティブ又は非アクティブにするビットがアクティブの実行を指示する値とは異なる値に設定されている前記ＨＳ−ＳＣＣＨ命令が、前記ＨＳ−ＳＣＣＨレス動作モードを非アクティブにする命令として機能する、
請求項１に記載の方法。
【請求項３】
前記物理層伝達信号がプリセットされているか、又は、前記ＨＳ−ＳＣＣＨレス動作モードのアクティブ状態を判断した後に前記物理層伝達信号が生成される、
請求項１〜２のいずれか１項に記載の方法。
【請求項４】
前記ＨＳ−ＳＣＣＨ命令の命令タイプが０００に設定され、且つ、前記ＨＳ−ＳＣＣＨレス動作モードをアクティブにするため前記ＨＳ−ＳＣＣＨ命令のＸｏｒｄ，３ビットが１に設定されるか、又は、前記ＨＳ−ＳＣＣＨレス動作モードを非アクティブにするため前記ＨＳ−ＳＣＣＨ命令のＸｏｒｄ，３ビットが０に設定される、
請求項１〜３のいずれか１項に記載の方法。
【請求項５】
前記物理層伝達信号を送信した後に、更に、
前記ＵＥから、肯定応答メッセージ（ＡＣＫ）又は否定応答メッセージ（ＮＡＣＫ）を受信すること（１０７）と、
前記ＡＣＫを受信した場合、前記ＵＥに送信された物理層伝達信号に対応して基地局側の前記ＨＳ−ＳＣＣＨレス動作モードをアクティブ又は非アクティブにすること（１０７）と、
を含む、請求項１〜４のいずれか１項に記載の方法。
【請求項６】
ネットワーク側装置であって、
高速ダウンリング・パケット・アクセス（ＨＳＤＰＡ）システムの高速共用制御チャネル（ＨＳ−ＳＣＣＨ）レス動作モードのアクティブ状態を変更する必要があるか否かを判断するよう構成された判断モジュール（２１０）と、
ユーザ装置（ＵＥ）に、前記ＨＳ−ＳＣＣＨレス動作モードをアクティブ又は非アクティブにするように指示するため、前記ＵＥに物理層伝達信号を送信するよう構成された第１の通信ユニット（２３０）であって、前記物理層伝達信号は、前記ＨＳ−ＳＣＣＨレス動作モードをアクティブ又は非アクティブにするためのＨＳ−ＳＣＣＨ命令である、前記第１の通信ユニット（２３０）と、
を含み、
命令タイプが０００であり、且つ、前記ＨＳ−ＳＣＣＨレス動作モードをアクティブ又は非アクティブにするビットがアクティブの実行を指示する値に設定されている前記ＨＳ−ＳＣＣＨ命令が、前記ＨＳ−ＳＣＣＨレス動作モードをアクティブにする命令として機能する、
ネットワーク側装置。
【請求項７】
命令タイプが０００であり、且つ、前記ＨＳ−ＳＣＣＨレス動作モードをアクティブ又は非アクティブにするビットがアクティブの実行を指示する値とは異なる値に設定されている前記ＨＳ−ＳＣＣＨ命令が、前記ＨＳ−ＳＣＣＨレス動作モードを非アクティブにする命令として機能する、
請求項６に記載のネットワーク側装置。
【請求項８】
前記ネットワーク側装置は、更に、
前記ＨＳ−ＳＣＣＨレス動作モードのアクティブ状態を変更する必要があるとき、前記物理層伝達信号を生成するか、又は、前記ＨＳ−ＳＣＣＨレス動作モードをアクティブ又は非アクティブにするためのプリセット物理層伝達信号を呼び出すよう構成された伝達信号生成ユニット（２２０）を含む、
請求項６又は７に記載のネットワーク側装置。
【請求項９】
前記ＨＳ−ＳＣＣＨ命令の命令タイプが０００に設定され、且つ、前記ＨＳ−ＳＣＣＨレス動作モードをアクティブにするため前記ＨＳ−ＳＣＣＨ命令のＸｏｒｄ，３ビットが１に設定されるか、又は、前記ＨＳ−ＳＣＣＨレス動作モードを非アクティブにするため前記ＨＳ−ＳＣＣＨ命令のＸｏｒｄ，３ビットが０に設定される、
請求項６〜８のいずれか１項に記載のネットワーク側装置。
【請求項１０】
前記伝達信号生成ユニットは、更に、
前記ＨＳ−ＳＣＣＨレス動作モードがアクティブにされる必要があるとき、前記物理層伝達信号を生成するか、又は、前記ＨＳ−ＳＣＣＨレス動作モードをアクティブにするためのプリセットの物理層伝達信号を呼び出すよう構成されたアクティブ伝達信号サブユニット（２２１）、及び
前記ＨＳ−ＳＣＣＨレス動作モードが非アクティブにされる必要があるとき、前記物理層伝達信号を生成するか、又は、前記ＨＳ−ＳＣＣＨレス動作モードを非アクティブにするためのプリセットの物理層伝達信号を呼び出すよう構成された非アクティブ伝達信号サブユニット（２２２）
のうちの少なくとも１つを含む、
請求項８又は９に記載のネットワーク側装置。
【請求項１１】
前記第１の通信ユニットは、更に、
前記ＵＥから、肯定応答メッセージ（ＡＣＫ）又は否定応答メッセージ（ＮＡＣＫ）を受信し（１０７）、
前記ＡＣＫを受信した場合、前記ＵＥに送信された物理層伝達信号に対応して基地局側の前記ＨＳ−ＳＣＣＨレス動作モードをアクティブ又は非アクティブにする（１０７）よう構成されている、
請求項６〜１０のいずれか１項に記載のネットワーク側装置。
【請求項１２】
高速ダウンリング・パケット・アクセス（ＨＳＤＰＡ）の動作モードを制御するための方法であって、
ネットワーク側から、高速共用制御チャネル（ＨＳ−ＳＣＣＨ）レス動作モードをアクティブ又は非アクティブにするための物理層伝達信号を受信すること（１０３，１０５）と、
前記ＨＳ−ＳＣＣＨレス動作モードをアクティブにするための前記物理層伝達信号に従って前記ＨＳ−ＳＣＣＨレス動作モードをアクティブにし、前記ＨＳ−ＳＣＣＨレス動作モードを非アクティブにするための前記物理層伝達信号に従って前記ＨＳ−ＳＣＣＨレス動作モードを非アクティブにすること（１０４，１０６）と、
を含み、
前記物理層伝達信号は、前記ＨＳ−ＳＣＣＨレス動作モードをアクティブ又は非アクティブにするためのＨＳ−ＳＣＣＨ命令であり、
命令タイプが０００であり、且つ、前記ＨＳ−ＳＣＣＨレス動作モードをアクティブ又は非アクティブにするビットがアクティブの実行を指示する値に設定されている前記ＨＳ−ＳＣＣＨ命令が、前記ＨＳ−ＳＣＣＨレス動作モードをアクティブにする命令として機能する、
方法。
【請求項１３】
命令タイプが０００であり、且つ、前記ＨＳ−ＳＣＣＨレス動作モードをアクティブ又は非アクティブにするビットがアクティブの実行を指示する値とは異なる値に設定されている前記ＨＳ−ＳＣＣＨ命令が、前記ＨＳ−ＳＣＣＨレス動作モードを非アクティブにする命令として機能する、
請求項１２に記載の方法。
【請求項１４】
前記ＨＳ−ＳＣＣＨ命令の命令タイプが０００に設定され、且つ、前記ＨＳ−ＳＣＣＨレス動作モードをアクティブにするため前記ＨＳ−ＳＣＣＨ命令のＸｏｒｄ，３ビットが１に設定されるか、又は、前記ＨＳ−ＳＣＣＨレス動作モードを非アクティブにするため前記ＨＳ−ＳＣＣＨ命令のＸｏｒｄ，３ビットが０に設定される、
請求項１２又は１３に記載の方法。
【請求項１５】
前記物理層伝達信号がプリセットされているか、又は、前記ＨＳ−ＳＣＣＨレス動作モードのアクティブ状態を判断した後に前記物理層伝達信号が生成される、
請求項１２〜１４のいずれか１項に記載の方法。
【請求項１６】
前記方法は、更に、
ユーザ装置（ＵＥ）に、前記ＨＳ−ＳＣＣＨレス動作モードをアクティブ又は非アクティブにするよう指示するため、前記ＵＥ内に、ＨＳ−ＳＣＣＨレス動作モード指示ビットをプリセットすること（１０４，１０６）
を含み、
前記ＨＳ−ＳＣＣＨレス動作モードをアクティブにすること（１０４，１０６）は、前記ＨＳ−ＳＣＣＨレス動作モードの指示ビットを、前記物理層伝達信号に従ってアクティブにするよう指示する値に設定し、前記指示ビットのアクティブ指示に従って前記ＨＳ−ＳＣＣＨレス動作モードをアクティブにすることを含み、
前記ＨＳ−ＳＣＣＨレス動作モードを非アクティブにすること（１０４，１０６）は、前記ＨＳ−ＳＣＣＨレス動作モードの指示ビットを、前記物理層伝達信号に従ってアクティブにするよう指示する値とは異なる値に設定し、前記指示ビットの非アクティブ指示に従って前記ＨＳ−ＳＣＣＨレス動作モードを非アクティブにすることを含む、
請求項１２〜１５のいずれか１項に記載の方法。
【請求項１７】
前記ＨＳ−ＳＣＣＨレス動作モードをアクティブにする又は非アクティブにする前に、前記方法は、更に、
ＵＥにより、前記ネットワーク側に、肯定応答メッセージ（ＡＣＫ）を返信すること（１０７）を含む、
請求項１２〜１６のいずれか１項に記載の方法。
【請求項１８】
ユーザ装置（ＵＥ）であって、
ネットワーク側から、高速共用制御チャネル（ＨＳ−ＳＣＣＨ）レス動作モードをアクティブ又は非アクティブにするための物理層伝達信号を受信するよう構成された第２の通信ユニット（３１０）と、
前記ＨＳ−ＳＣＣＨレス動作モードをアクティブ又は非アクティブにするための前記物理層伝達信号に従って前記ＨＳ−ＳＣＣＨレス動作モードをアクティブ又は非アクティブにするよう構成されたアクティブ状態設定ユニット（３２０）と、
を含み、
前記物理層伝達信号は、前記ＨＳ−ＳＣＣＨレス動作モードをアクティブ又は非アクティブにするためのＨＳ−ＳＣＣＨ命令であり、
命令タイプが０００であり、且つ、前記ＨＳ−ＳＣＣＨレス動作モードをアクティブ又は非アクティブにするビットがアクティブの実行を指示する値に設定されている前記ＨＳ−ＳＣＣＨ命令が、前記ＨＳ−ＳＣＣＨレス動作モードをアクティブにする命令として機能する、
ＵＥ。
【請求項１９】
命令タイプが０００であり、且つ、前記ＨＳ−ＳＣＣＨレス動作モードをアクティブ又は非アクティブにするビットがアクティブの実行を指示する値とは異なる値に設定されている前記ＨＳ−ＳＣＣＨ命令が、前記ＨＳ−ＳＣＣＨレス動作モードを非アクティブにする命令として機能する、
請求項１８に記載のＵＥ。
【請求項２０】
前記ＨＳ−ＳＣＣＨ命令の命令タイプが０００に設定され、且つ、前記ＨＳ−ＳＣＣＨレス動作モードをアクティブにするため前記ＨＳ−ＳＣＣＨ命令のＸｏｒｄ，３ビットが１に設定されるか、又は、前記ＨＳ−ＳＣＣＨレス動作モードを非アクティブにするため前記ＨＳ−ＳＣＣＨ命令のＸｏｒｄ，３ビットが０に設定される、
請求項１８又は１９に記載のＵＥ。
【請求項２１】
前記物理層伝達信号がプリセットされているか、又は、前記ＨＳ−ＳＣＣＨレス動作モードのアクティブ状態を判断した後に前記物理層伝達信号が生成される、
請求項１８〜２０のいずれか１項に記載のＵＥ。
【請求項２２】
前記ユーザ装置（ＵＥ）に、前記ＨＳ−ＳＣＣＨレス動作モードをアクティブ又は非アクティブにするよう指示するため、前記ＵＥ内に、ＨＳ−ＳＣＣＨレス動作モード指示ビットをプリセットし、
前記アクティブ状態設定ユニット（３２０）は、アクティブ設定サブユニット（３２１）及び非アクティブ設定サブユニット（３２２）のうちの少なくとも１つを含み、
前記アクティブ設定サブユニット（３２１）は、前記ＨＳ−ＳＣＣＨレス動作モードの指示ビットを、前記物理層伝達信号に従ってアクティブにするよう指示する値に設定し、前記指示ビットのアクティブ指示に従って前記ＨＳ−ＳＣＣＨレス動作モードをアクティブにし、
前記非アクティブ設定サブユニット（３２２）は、前記ＨＳ−ＳＣＣＨレス動作モードの指示ビットを、前記ＨＳ−ＳＣＣＨレス動作モードを非アクティブにするための前記物理層伝達信号に従ってアクティブにするよう指示する値とは異なる値に設定し、前記指示ビットの非アクティブ指示に従って前記ＨＳ−ＳＣＣＨレス動作モードを非アクティブにする、
請求項１８〜２１のいずれか１項に記載のＵＥ。
【請求項２３】
前記第２の通信ユニット（３１０）は、更に、前記ネットワーク側に肯定応答メッセージ（ＡＣＫ）を返信する、
請求項１８〜２２のいずれか１項に記載のＵＥ。
【請求項２４】
端末で使用される高速ダウンリング・パケット・アクセス（ＨＳＤＰＡ）の動作モードを制御するためのチップセットであって、
前記チップセットは、ネットワーク側から、高速共用制御チャネル（ＨＳ−ＳＣＣＨ）レス動作モードをアクティブ又は非アクティブにするための物理層伝達信号を受信するよう構成され、
前記チップセットは、前記ＨＳ−ＳＣＣＨレス動作モードをアクティブ又は非アクティブにするための前記物理層伝達信号に従って前記ＨＳ−ＳＣＣＨレス動作モードをアクティブ又は非アクティブにするよう構成され、
前記物理層伝達信号は、前記ＨＳ−ＳＣＣＨレス動作モードをアクティブ又は非アクティブにするためのＨＳ−ＳＣＣＨ命令であり、
命令タイプが０００であり、且つ、前記ＨＳ−ＳＣＣＨレス動作モードをアクティブ又は非アクティブにするビットがアクティブの実行を指示する値に設定されている前記ＨＳ−ＳＣＣＨ命令が、前記ＨＳ−ＳＣＣＨレス動作モードをアクティブにする命令として機能する、
チップセット。
【請求項２５】
命令タイプが０００であり、且つ、前記ＨＳ−ＳＣＣＨレス動作モードをアクティブ又は非アクティブにするビットがアクティブの実行を指示する値とは異なる値に設定されている前記ＨＳ−ＳＣＣＨ命令が、前記ＨＳ−ＳＣＣＨレス動作モードを非アクティブにする命令として機能する、
請求項２４に記載のチップセット。
【請求項２６】
前記ＨＳ−ＳＣＣＨ命令の命令タイプが０００に設定され、且つ、前記ＨＳ−ＳＣＣＨレス動作モードをアクティブにするため前記ＨＳ−ＳＣＣＨ命令のＸｏｒｄ，３ビットが１に設定されるか、又は、前記ＨＳ−ＳＣＣＨレス動作モードを非アクティブにするため前記ＨＳ−ＳＣＣＨ命令のＸｏｒｄ，３ビットが０に設定される、
請求項２４又は２５に記載のチップセット。
【請求項２７】
前記物理層伝達信号がプリセットされているか、又は、前記ＨＳ−ＳＣＣＨレス動作モードのアクティブ状態を判断した後に前記物理層伝達信号が生成される、
請求項２４〜２６のいずれか１項に記載のチップセット。
【請求項２８】
高速ダウンリング・パケット・アクセス（ＨＳＤＰＡ）システムであって、
請求項６〜１１のいずれか１項に記載のネットワーク側装置と、
請求項１８〜２３のいずれか１項に記載のＵＥと、
を備える、システム。
【発明の詳細な説明】
【技術分野】
【０００１】
本発明は、高速ダウンリンク・パケット・アクセス（ｈｉｇｈ  ｓｐｅｅｄ  ｄｏｗｎｌｉｎｋ  ｐａｃｋｅｔ  ａｃｃｅｓｓ、ＨＳＤＰＡ）技術に関し、より詳細にはＨＳＤＰＡシステムの動作モードを制御するための方法、装置、およびシステムに関する。
【背景技術】
【０００２】
ＨＳＤＰＡ技術は、広帯域符号分割多元接続（ＷＣＤＭＡ）システムにおけるダウンリンク高速データソリューションである。高速共用制御チャネル（ｈｉｇｈ  ｓｐｅｅｄ  ｓｈａｒｅｄ  ｃｏｎｔｒｏｌ  ｃｈａｎｎｅｌ、ＨＳ−ＳＣＣＨ）がＨＳＤＰＡ技術に導入され、この場合、ＨＳ−ＳＣＣＨは、ダウンリンク制御チャネルであり、制御情報および制御命令などを運ぶように構成されている。基地局（ＮｏｄｅＢ）がダウンリンクデータを送信するときに、ＨＳ−ＳＣＣＨ上での信号方式オーバヘッドを軽減するために、ＨＳ−ＳＣＣＨレス運用モード（ＨＳ−ＳＣＣＨ  ｌｅｓｓ  ｏｐｅｒａｔｉｏｎ  ｍｏｄｅ）がこの業界で提案されたが、ＮｏｄｅＢがダウンリンクデータを送信しないときには、このシステムがＨＳ−ＳＣＣＨレス運用モードの下で動作しない必要がある。
【０００３】
ＨＳＤＰＡシステムの動作モードを切り換えるために、上位層伝達信号構成手法（ａ  ｈｉｇｈ−ｌｅｖｅｌ  ｓｉｇｎａｌｉｎｇ  ｃｏｎｆｉｇｕｒａｔｉｏｎ  ｍａｎｎｅｒ）を採用することによりＨＳＤＰＡシステムの動作モードを制御する方法が、従来技術に存在する。この方法により、ＮｏｄｅＢおよびユーザ装置（ＵＥ）が、ＨＳ−ＳＣＣＨレス運用モードに入ることも、ＨＳ−ＳＣＣＨレス運用モードから出ることもできる。上位層伝達信号は、ＷＣＤＭＡシステムではレイヤ３信号方式を指す。上位層伝達信号構成手法を採用することによりＨＳＤＰＡシステムの動作モードを制御する方法では、具体的には、ＨＳ−ＳＣＣＨレス運用モード、または通常モードに入るようにＮｏｄｅＢおよびＵＥを構成するために、無線ネットワーク制御装置（ＲＮＣ）が、構成信号方式をＮｏｄｅＢおよびＵＥそれぞれに開始する。ＮｏｄｅＢとＵＥの同期が取れた後に、この構成が有効になる。
【発明の概要】
【発明が解決しようとする課題】
【０００４】
この解決策では、ＲＮＣおよびＮｏｄｅＢの信号相互作用処理（ａ  ｓｉｇｎａｌｉｎｇ  ｉｎｔｅｒａｃｔｉｏｎ  ｐｒｏｃｅｓｓ）、ＲＮＣおよびＵＥの信号相互作用処理、アップリンクおよびダウンリンクの同期処理に一定期間を浪費する必要があり、浪費された総時間が秒単位で測られ、そのことにより、この手法の構成速度がはるかに遅いことを、本出願の１人または複数の発明者が研究により確認した。この構成が有効になる前に、ＵＥが依然として複雑な判断処理および受信処理を実行する必要があり、ＵＥ側の処理が複雑であり、処理資源のオーバヘッドが大きい。さらに、この技術的解決策の信号相互作用処理の間に、無線インタフェース資源のオーバヘッドが生み出される。
【課題を解決するための手段】
【０００５】
本発明の様々な態様では、ＨＳＤＰＡシステムの動作モードの高速制御が実装され、その結果、システム資源が節約されるように、ＨＳＤＰＡシステムの動作モードを制御する方法を提供する。
【０００６】
本発明の様々な態様では、ＨＳＤＰＡシステムの動作モードの高速制御が実装され、その結果、システム資源が節約されるように、ＨＳＤＰＡシステムの動作モードを制御するための基地局を提供する。
【０００７】
本発明の様々な態様では、ＨＳＤＰＡシステムの動作モードの高速制御が実装され、その結果、システム資源が節約されるように、ＨＳＤＰＡシステムの動作モードを制御するためのＵＥを提供する。
【０００８】
本発明の様々な態様では、ＨＳＤＰＡシステムの動作モードの高速制御が実装され、その結果、システム資源が節約されるように、ＨＳＤＰＡシステムの動作モードを制御するためのＨＳＤＰＡシステムを提供する。
【０００９】
ＨＳＤＰＡシステムの動作モードを制御する方法は以下を含む。
【００１０】
ＨＳＤＰＡシステムのＨＳ−ＳＣＣＨレス運用モードのアクディブ状態（ａｎ  ａｃｔｉｖａｔｉｏｎ  ｓｔａｔｅ）を変更する必要があるかどうかを判断する。
【００１１】
ＨＳ−ＳＣＣＨレス運用モードのアクディブ状態を変更する必要がある場合、ＨＳ−ＳＣＣＨレス運用モードをアクティブにするように、または非アクティブにするようにＵＥに指示するために、物理層伝達信号（ａ  ｐｈｙｓｉｃａｌ  ｌａｙｅｒ  ｓｉｇｎａｌｉｎｇ）がＵＥに送信される。ＨＳＤＰＡシステムのＨＳ−ＳＣＣＨレス運用モードのアクティブ状態を変更する必要があると判断された後に、物理層伝達信号がプリセット（ｐｒｅｓｅｔ）される、または生成される。
【００１２】
ネットワーク側装置は、判断ユニット、伝達信号生成ユニット、および第１の通信ユニットを含む。
【００１３】
判断ユニットは、ＨＳＤＰＡシステムのＨＳ−ＳＣＣＨレス運用モードのアクティブ状態を変更する必要があるかどうかを判断するように構成されている。
【００１４】
伝達信号生成ユニットは、ＨＳ−ＳＣＣＨレス運用モードのアクティブ状態を変更する必要があるときに、ＨＳ−ＳＣＣＨレス運用モードをアクティブ状態にするための、または非アクティブ状態にするための物理層伝達信号を生成するか、またはプリセットされた物理層伝達信号を呼び出すように構成されている。
【００１５】
第１の通信ユニットは、ＨＳ−ＳＣＣＨレス運用モードをアクティブにするように、または非アクティブにするようにＵＥに指示するために、ＨＳ−ＳＣＣＨレス運用モードをアクティブにするか、または非アクティブにするための物理層伝達信号をＵＥに送信するように構成されている。
【００１６】
ＨＳＤＰＡシステムの動作モードを制御するこの方法は以下を含む。
【００１７】
ネットワーク側からの、ＨＳ−ＳＣＣＨレス運用モードをアクティブにするか、または非アクティブにするための物理層伝達信号が受信される。
【００１８】
ＨＳ−ＳＣＣＨレス運用モードを、ＨＳ−ＳＣＣＨレス運用モードをアクティブにするか、または非アクティブにするための物理層伝達信号に従って、アクティブ又は非アクティブにする。
【００１９】
ＵＥは、第２の通信ユニット、およびアクティブ状態実行ユニットを含む。
【００２０】
第２の通信ユニットは、ネットワーク側からの、ＨＳ−ＳＣＣＨレス運用モードをアクティブまたは非アクティブにするための物理層伝達信号を受信するように構成されている。
【００２１】
アクティブ状態実行ユニットは、ＨＳ−ＳＣＣＨレス運用モードをアクティブまたは非アクティブにするための物理層伝達信号に従って、ＨＳ−ＳＣＣＨレス運用モードをアクティブまたは非アクティブにするように構成されている。
【００２２】
ＨＳＤＰＡシステムは、本発明の実施形態によるネットワーク側装置、および本発明の実施形態によるＵＥを含む。
【００２３】
本発明の実施形態による物理層伝達信号によりＨＳＤＰＡシステムの動作モードが制御されるこの技術的解決策では、ＨＳ−ＳＣＣＨレス運用モードのアクティブ状態を変更する必要があるときに、ＨＳ−ＳＣＣＨレス運用モードをアクティブまたは非アクティブにするための物理層伝達信号がＵＥに送信され、ＵＥが、ＨＳ−ＳＣＣＨレス運用モードをアクティブまたは非アクティブにするための物理層伝達信号に従って、ＵＥ側のＨＳ−ＳＣＣＨレス運用モードをアクティブまたは非アクティブにすることが、この技術的解決策から理解できよう。上位層伝達信号を採用することによりＨＳＤＰＡシステムがＨＳ−ＳＣＣＨレス運用モードに入ったり離脱したりする従来技術による解決策と比較して、ＨＳＤＰＡシステムの動作モードを迅速に制御するために、物理層伝達信号を採用することによりＨＳ−ＳＣＣＨレス運用モードがアクティブまたは非アクティブにされる本発明による解決策はより高速であり、その結果、ＮｏｄｅＢがＨＳ−ＳＣＣＨレス運用モードを非アクティブにすると判断したときに、ＵＥがＮｏｄｅＢ側のＨＳ−ＳＣＣＨレス運用モードのアクティブ状態を迅速に知ることができ、それにより、無意味で複雑な判断を防ぎ、ＵＥの処理資源を節約する。さらに、上位層伝達信号を採用する構成と比較して、物理層伝達信号を採用する構成では、無線インタフェース資源がさらに節約される。
【図面の簡単な説明】
【００２４】
【図１】本発明の一実施形態による、ＨＳＤＰＡシステムの動作モードを制御する方法の概略の流れ図である。
【図２】本発明の一実施形態による、ＨＳＤＰＡシステムの動作モードを制御するためのネットワーク側装置の概略の構造図である。
【図３】本発明の一実施形態による、ＨＳＤＰＡシステムの動作モードを制御するためのＵＥの概略の構造図である。
【発明を実施するための形態】
【００２５】
ＨＳＤＰＡ技術は、ＷＣＤＭＡシステムにおけるダウンリンク高速データソリューションである。ＨＳ−ＳＣＣＨ、高速物理ダウンリンク共用チャネル（ＨＳ−ＰＤＳＣＨ）、および高速専用物理制御チャネル（ＨＳ−ＤＰＣＣＨ）を含む３つのチャネルが、ＨＳＤＰＡ技術に導入されている。ＨＳ−ＳＣＣＨは、ダウンリンク制御チャネルであり、制御情報および制御命令などを運ぶように構成されており、この場合、制御情報は、関連するトラフィックチャネル上の復調データに対して使用される。ＨＳ−ＰＤＳＣＨは、ダウンリンク・トラフィック・チャネルであり、データを運ぶように構成されており、この場合、関連する制御チャネル上の制御情報に従ってデータを復調することができる。ＨＳ−ＤＰＣＣＨは、アップリンク専用物理チャネルであり、肯定応答メッセージ（ＡＣＫ）、否定応答メッセージ（ＮＡＣＫ）、およびチャネル品質指示子（ｃｈａｎｎｅｌ  ｑｕａｌｉｔｙ  ｉｎｄｉｃａｔｏｒ、ＣＱＩ）を含む３つの物理層伝達信号を運ぶように構成されている。ＨＳ−ＳＣＣＨ、ＨＳ−ＰＤＳＣＨ、およびＨＳ−ＤＰＣＣＨは、２ｍｓの伝送時間間隔を採用している。
【００２６】
物理層伝達信号によりＨＳＤＰＡシステムの動作モードを制御する技術的解決策が、本発明の一実施形態で提供される。この解決策では、たとえば、ＨＳ−ＳＣＣＨレス運用モードでデータを送信する必要がないときなど、ＨＳ−ＳＣＣＨレス運用モードのアクティブ状態を変更する必要があるときに、ＨＳ−ＳＣＣＨレス運用モードを非アクティブにするための物理層伝達信号がＵＥに送信され、次に、ＵＥが、ＨＳ−ＳＣＣＨレス運用モードを非アクティブにするための物理層伝達信号に従って、ＵＥ側のＨＳ−ＳＣＣＨレス運用モードを非アクティブにする。ＨＳ−ＳＣＣＨレス運用モードでデータを送信する必要があるときには、ＨＳ−ＳＣＣＨレス運用モードを時間内にアクティブにするようにＵＥに指示するために、ＨＳ−ＳＣＣＨレス運用モードをアクティブにするための物理層伝達信号がＵＥに送信される。ＨＳ−ＳＣＣＨレス運用モードをアクティブまたは非アクティブにするための物理層伝達信号は、ＨＳ−ＳＣＣＨレス運用モードのアクティブ状態を変更する必要があると判断された後に、プリセットされたり、生成されることもある。物理層伝達信号がプリセットされる場合、物理層伝達信号を設定する動作では、ＵＥのリンクを確立するとき、または再構成の間に、物理層伝達信号を設定し、記憶することができる。引き続き、物理層伝達信号を使用する必要があるときに、物理層伝達信号を直接呼び出すことができる。
【００２７】
ＨＳＤＰＡシステムが、ＨＳＤＰＡシステムの動作モードを迅速に制御するために、上位層伝達信号を採用することによりＨＳ−ＳＣＣＨレス運用モードに入ったり離脱したりするようにしている従来による解決策と比較して、物理層伝達信号を採用することによりＨＳ−ＳＣＣＨレス運用モードがアクティブまたは非アクティブにされる本発明の実施形態による解決策はより高速であり、その結果、ＵＥが、ＮｏｄｅＢ側のＨＳ−ＳＣＣＨレス運用モードのアクティブ状態を迅速に知ることができ、それにより、無意味で複雑な判断を避け、ＵＥの処理資源を節約する。一方、上位層伝達信号相互作用を採用する構成と比較して、物理層伝達信号を採用する構成では、無線インタフェース資源がさらに節約される。
【００２８】
以下では、図１を参照して、本発明の一実施形態によるＨＳ−ＳＣＣＨの動作モードを制御する方法の具体的な実施手法を説明する。
【００２９】
ステップ１０１では、ＨＳ−ＳＣＣＨレス運用モードをアクティブおよび／または非アクティブにするための物理伝達信号がプリセットされる。
【００３０】
例えば、既存の物理層伝達信号を拡張したり新しい物理層伝達信号を増やしたりするなどの複数の手法により物理層伝達信号を設定することができる。一実施形態の手法では、既存のＨＳ−ＳＣＣＨ命令に基づいて拡張を行っている。ＨＳ−ＳＣＣＨレス運用モードをアクティブおよび／または非アクティブにするための物理層伝達信号を設定する手法の説明を容易にするためには、ＨＳ−ＳＣＣＨ制御情報を説明する必要がある。
【００３１】
ＨＳＤＰＡシステムが、ＨＳ−ＳＣＣＨレス運用モードの下で動作するときに、ＮｏｄｅＢは、ＨＳ−ＰＤＳＣＨの巡回冗長検査符号（ＣＲＣ）付加方法１およびＣＲＣ付加方法２を含む２つの手法でデータを送信する。それに対応して、ＮｏｄｅＢは、ＨＳ−ＳＣＣＨタイプ１制御情報およびＨＳ−ＳＣＣＨタイプ２制御情報を含む２つのタイプの制御情報を送信する。タイプ１制御情報およびタイプ２制御情報に加えて、ＨＳ−ＳＣＣＨ上で運ばれる制御情報は、さらにタイプＭ制御情報を含む。３つのタイプのＨＳ−ＳＣＣＨ制御情報の違いは、ＨＳ−ＳＣＣＨにマッピングされる情報ビットが違うことである。
【００３２】
ＨＳ−ＳＣＣＨタイプ１制御情報では、制御情報がＨＳ−ＳＣＣＨにマッピングされた後に、ＨＳ−ＳＣＣＨは以下の情報ビットを含む。
１）  それぞれＸｃｃｓ，１，Ｘｃｃｓ，２，・・・，Ｘｃｃｓ，７と表されるチャネライゼーション符号集合（ｃｈａｎｎｅｌｉｚａｉｏｎ−ｃｏｄｅ−ｓｅｔ）情報（７ビット）。
２）  Ｘｍｓ，１と表される変調方式情報（１ビット）。
３）  Ｘｔｂｓ，１、Ｘｔｂｓ，２，・・・，Ｘｔｂｓ，６と表されるトランスポートブロックサイズ情報（６ビット）。 
４）  Ｘｈａｐ，１，Ｘｈａｐ，２，Ｘｈａｐ，３と表されるハイブリッドＡＲＱ処理情報（３ビット）。
５）  、Ｘｒｖ，１，Ｘｒｖ，２，Ｘｒｖ，３と表される冗長及び集合の種類（Ｒｅｄｕｎｄａｎｃｙ  ａｎｄ  ｃｏｎｓｔｅｌｌａｔｉｏｎ  ｖｅｒｓｉｏｎ）（３ビット）。６）  Ｘｎｄ，１と表される新データ指示子（ｎｅｗ  ｄａｔａ  ｉｎｄｉｃａｔｏｒ）（１ビット）。
７）  Ｘｕｅ，１，Ｘｕｅ，２，・・・，Ｘｕｅ、１６と表されるＵＥ  ＩＤ（１６ビット）。
【００３３】
情報ビットは、以下の値に従ってそれぞれ設定されると、一般的に、対応する命令をＨＳ−ＳＣＣＨ上で転送することを表す。
１）  Ｘｃｃｓ，１，Ｘｃｃｓ，２，・・・，Ｘｃｃｓ，７，およびＸｍｓ，１が「１１１０００００」に設定される。
２）  Ｘｔｂｓ，１，Ｘｔｂｓ，２，・・・，およびＸｔｂｓ，６が「１１１１０１」に設定される。
３）  Ｘｈａｐ，１，Ｘｈａｐ，２，Ｘｈａｐ，３，Ｘｒｖ，１，Ｘｒｖ，２，Ｘｒｖ，３がＸｏｄｔ，１，Ｘｏｄｔ，２，Ｘｏｄｔ，３，Ｘｏｒｄ，１，Ｘｏｒｄ，２，Ｘｏｒｄ，３に設定される。
【００３４】
Ｘｏｄｔ，１，Ｘｏｄｔ，２，Ｘｏｄｔ，３を含む３ビットが命令タイプを表し、Ｘｏｄｔ，１，Ｘｏｄｔ，２，およびＸｏｄｔ，３が異なる値のときに、異なる命令タイプが表される。
【００３５】
Ｘｏｒｄ，１，Ｘｏｒｄ，２，およびＸｏｒｄ，３が、ある命令タイプの下での異なる命令を表す。
【００３６】
現在、命令タイプ０００が既に定義されており、すなわち、Ｘｏｄｔ，１，Ｘｏｄｔ，２，およびＸｏｄｔ，３が「０００」に設定され、この命令タイプの下で、命令のマッピング状況が以下のようになっている。
【００３７】
Ｘｏｒｄ，１は、不連続受信（ＤＲＸ）命令アクティブビット（ｏｒｄｅｒ  ａｃｔｉｖａｔｉｏｎ  ｂｉｔ）である。
【００３８】
Ｘｏｒｄ，２は、不連続送信（ＤＴＸ）命令アクティブビットである。
【００３９】
Ｘｏｒｄ，３は、予約ビットである。
【００４０】
このステップでは、この命令に基づいて、ＨＳ−ＳＣＣＨレス運用モードをアクティブにするための物理層伝達信号、および／またはＨＳ−ＳＣＣＨレス運用モードを非アクティブにするための物理層伝達信号が拡張される。この実施形態では、一例として以下の２つの手法を示すことにより紹介するが、この２つの手法に限定されるものではない。
【００４１】
第１の手法では、命令タイプ０００を有する命令の予約ビットは、この実施形態のＨＳ−ＳＣＣＨレス運用モードをアクティブまたは非アクティブにするビットとして機能し、ＨＳ−ＳＣＣＨレス運用モードをアクティブにするか、非アクティブにするかを表したり指示したりする。
【００４２】
命令タイプが０００であり、かつＨＳ−ＳＣＣＨレス運用モードをアクティブまたは非アクティブにするビットがアクティブの実行を指示する値、たとえば、第１の値に設定されると、ＨＳ−ＳＣＣＨレス運用モードをアクティブにする命令を表すと規定される。
【００４３】
命令タイプが０００であり、かつＨＳ−ＳＣＣＨレス運用モードをアクティブまたは非アクティブにするビットがアクティブの実行を指示する値とは異なる値、たとえば、アクティブの実行を指示する第１の値とは異なる値に設定されると、ＨＳ−ＳＣＣＨレス運用モードを非アクティブにする命令を表す。
【００４４】
通常、「１」に設定されたビットは、ある機能がアクティブにされていることを表し、「０」に設定されたビットは、ある機能が非アクティブにされていることを表す。したがって、第１の値を「１」とすることができ、それに対応して、第１の値と異なる値を「０」とすることができる。
【００４５】
この手法では、Ｘｈａｐ，１，Ｘｈａｐ，２，Ｘｈａｐ，３，Ｘｒｖ，１，Ｘｒｖ，２，Ｘｒｖ，３は、「０００＊＊１」に設定され、これが、ＨＳ−ＳＣＣＨレス運用モードをアクティブにする命令を表す。
【００４６】
Ｘｈａｐ，１，Ｘｈａｐ，２，Ｘｈａｐ，３，Ｘｒｖ，１，Ｘｒｖ，２，Ｘｒｖ，３は、「０００＊＊０」に設定され、これが、ＨＳ−ＳＣＣＨレス運用モードを非アクティブにする命令を表す。
【００４７】
「＊」は任意の値を表す。
【００４８】
当然、ビットを設定する手法を逆にすることができる。
例えば、Ｘｈａｐ，１，Ｘｈａｐ，２，Ｘｈａｐ，３，Ｘｒｖ，１，Ｘｒｖ，２，Ｘｒｖ，３は、「０００＊＊０」に設定され、これが、ＨＳ−ＳＣＣＨレス運用モードをアクティブにする命令を表す。
Ｘｈａｐ，１，Ｘｈａｐ，２，Ｘｈａｐ，３，Ｘｒｖ，１，Ｘｒｖ，２，Ｘｒｖ，３は、「０００＊＊１」に設定され、これが、ＨＳ−ＳＣＣＨレス運用モードを非アクティブにする命令を表す。
第２の手法では、１つの命令タイプが増やされ、ＨＳ−ＳＣＣＨレス運用モードをアクティブまたは非アクティブにするためのビットが、追加された命令タイプに設定される。
【００４９】
たとえば、命令タイプ００１が増やされ、この命令タイプの下でのＸｏｒｄ，１が、ＨＳ−ＳＣＣＨレス運用モードをアクティブまたは非アクティブにするビットとして機能する。
【００５０】
命令タイプが００１であり、かつＨＳ−ＳＣＣＨレス運用モードをアクティブまたは非アクティブするビットが、アクティブの実行を指示する値、たとえば、第２の値に設定されたときに、ＨＳ−ＳＣＣＨレス運用モードをアクティブにする命令を表すと規定される。
【００５１】
命令タイプが００１であり、かつＨＳ−ＳＣＣＨレス運用モードをアクティブまたは非アクティブにするビットが、アクティブの実行を指示する値とは異なる値、たとえば、アクティブの実行を指示する第２の値とは異なる値に設定されたときに、ＨＳ−ＳＣＣＨレス運用モードを非アクティブにする命令を表す。
【００５２】
同様に、第２の値を「１」にすることができ、第２の値と異なる値を「０」にすることができる。
【００５３】
この方法では、Ｘｈａｐ，１，Ｘｈａｐ，２，Ｘｈａｐ，３，Ｘｒｖ，１，Ｘｒｖ，２，Ｘｒｖ，３は、「００１１＊＊」に設定され、これが、ＨＳ−ＳＣＣＨレス運用モードをアクティブにする命令を表す。
【００５４】
Ｘｈａｐ，１，Ｘｈａｐ，２，Ｘｈａｐ，３，Ｘｒｖ，１，Ｘｒｖ，２，Ｘｒｖ，３は、「００１０＊＊」に設定され、これが、ＨＳ−ＳＣＣＨレス運用モードを非アクティブにする命令を表す。
【００５５】
ステップ１０２では、ＨＳＤＰＡシステム内のＵＥが、ＨＳ−ＳＣＣＨレス運用機能を有しているときに、すなわち、ＵＥがＨＳ−ＳＣＣＨ＿ｌｅｓｓ  ｍｏｄｅ＝１として構成されているときに、ＨＳ−ＳＣＣＨレス運用モードをアクティブにする必要がある場合、この処理はステップ１０３に進み、ＨＳ−ＳＣＣＨレス運用モードを非アクティブにする必要がある場合、この処理はステップ１０５に進む。
【００５６】
具体的な手順については、たとえば、ＵＥの現在のＨＳ−ＳＣＣＨレス運用モードのアクティブ状態を変更する必要があるかないかを判断される。現在のＨＳ−ＳＣＣＨレス運用モードのアクティブ状態を変更する必要がある場合、ＨＳ−ＳＣＣＨレス運用モードをアクティブにする必要があるか、非アクティブにする必要があるかが判断される。ＨＳ−ＳＣＣＨレス運用モードをアクティブにする必要がある場合、この処理はステップ１０３に進む。ＨＳ−ＳＣＣＨレス運用モードを非アクティブにする必要がある場合、この処理はステップ１０５に進む。さらに、ＨＳ−ＳＣＣＨレス運用モードのアクティブ状態を変更する必要がないと判断された場合、その後の処理は実行されない。
【００５７】
ステップ１０３では、基地局が、ＨＳ−ＳＣＣＨレス運用モードをアクティブにするための物理層伝達信号をＵＥに送信する。
【００５８】
このステップでは、基地局が、ステップ１０１の設定に従って、ＨＳ−ＳＣＣＨレス運用モードをアクティブにするための物理層伝達信号をＵＥに送信する。
【００５９】
ステップ１０４では、ＵＥが、基地局からの、ＨＳ−ＳＣＣＨレス運用モードをアクティブにするための物理層伝達信号に従って、それに対応するアクティブ構成を実行する。この処理はステップ１０７に進む。
【００６０】
ＨＳ−ＳＣＣＨレス運用モードを起動または非起動するようＵＥに指示するために、ＨＳ−ＳＣＣＨレス運用モード指示ビットをＵＥ内に設定することができ、この指示ビットの異なる値が、ＵＥの現在のＨＳ−ＳＣＣＨレス運用モードのアクティブ状態を指示する。指示ビットはブール変数でもよく、異なるブール値が、ＨＳ−ＳＣＣＨレス運用モードのアクティブ状態を指示する。指示ビットはまた共通変数でもよく、異なる値が、現在のＨＳ−ＳＣＣＨレス運用モードのアクティブ状態を指示する。
【００６１】
例えば、ブール変数ＨＳ−ＳＣＣＨ＿ｌｅｓｓ  ｍｏｄｅ  ａｃｔｉｖａｔｉｏｎを設定することができる。
【００６２】
ＨＳ−ＳＣＣＨ＿ｌｅｓｓ  ｍｏｄｅ  ａｃｔｉｖａｔｉｏｎ＝ｔｒｕｅのときに、それが、現在のＨＳ−ＳＣＣＨレス運用モードがアクティブ状態であることを表すと規定される。
【００６３】
ＨＳ−ＳＣＣＨ＿ｌｅｓｓ  ｍｏｄｅ  ａｃｔｉｖａｔｉｏｎ＝ｆａｌｓｅのときに、それが、現在のＨＳ−ＳＣＣＨレス運用モードが非アクティブ状態であることを表す。
【００６４】
この場合、このステップでの「対応するアクティブ構成を実行する」動作が、ＨＳ−ＳＣＣＨ＿ｌｅｓｓ  ｍｏｄｅ  ａｃｔｉｖａｔｉｏｎを「ｔｒｕｅ」に設定してもよい。
【００６５】
ステップ１０５では、基地局が、ＨＳ−ＳＣＣＨレス運用モードを非アクティブにするための物理層伝達信号をＵＥに送信する。
【００６６】
このステップでは、基地局が、ステップ１０１での設定に従って、ＨＳ−ＳＣＣＨレス運用モードを非アクティブにするための物理層伝達信号をＵＥに送信する。
【００６７】
ステップ１０６では、ＵＥが、基地局からの、ＨＳ−ＳＣＣＨレス運用モードを非アクティブにするための物理層伝達信号に従って、それに対応する非アクティブ構成を実行する。
【００６８】
ステップ１０４を参照すると、「対応する非アクティブ構成を実行する」動作が、ＨＳ−ＳＣＣＨ＿ｌｅｓｓ  ｍｏｄｅ  ａｃｔｉｖａｔｉｏｎを「ｆａｌｓｅ」に設定してもよい。
【００６９】
ステップ１０７では、ＵＥが肯定応答メッセージＡＣＫを基地局に送り返し、基地局がＡＣＫを受信した後に、アクティブ構成または非アクティブ構成が有効になり、すなわち、基地局側のＨＳ−ＳＣＣＨレス運用モードが、ＵＥに送信された物理層伝達信号に対応して、アクティブまたは非アクティブにされる。次に、ＨＳＤＰＡシステムがこの構成状態に従って動作する。さらに、ＵＥが否定応答メッセージＮＡＣＫを基地局に送り返し、基地局がＮＡＣＫメッセージを受信した後に、基地局側のＨＳ−ＳＣＣＨレス運用モードのアクティブ状態は変更されない、すなわち、アクティブ構成または非アクティブ構成が有効にならず、ＨＳＤＰＡシステムが、元の状態に従って動作する。
【００７０】
このステップでは、ＵＥ側が、ＨＳ−ＳＣＣＨレス運用モードのアクティブ状態を対応して設定することを表すために、ＵＥがＨＳ−ＤＰＣＣＨを介してＡＣＫをＵＥに送り返す。ＨＳ−ＤＰＣＣＨは、ＨＳＤＰＡ技術により導入されたアップリンク専用物理チャネルであり、ＡＣＫ、ＮＡＣＫ、およびＣＱＩを含む３種類の物理層伝達信号を運ぶように構成されている。
【００７１】
実際の適用中には、ＵＥは、ＡＣＫを基地局に送り返さないこともあるが、以下の手法に従って、アクティブ構成または非アクティブ構成を有効にする。
【００７２】
例えば、有効時間が前もって指定され、基地局が、ＨＳ−ＳＣＣＨレス運用モードをアクティブまたは非アクティブにするための物理層伝達信号を送信した後に、計時長が有効時間であるタイマをスタートすることがある。基地局から送信される物理層伝達信号が、タイムスタンプ情報を含み、ＵＥが、基地局から送信された物理層伝達信号を受信した後に、計時長が「有効時間−（現在の時間−タイムスタンプ情報により表された時間）」であるタイマを、現在の時間、物理層伝達信号内のタイムスタンプ情報、および前もって指定された有効時間に従ってスタートし、それぞれのタイマがタイムアウトしたときに、有効時間に達したと判断されるので、アクティブ構成または非アクティブ構成が有効になる。
【００７３】
実際の適用中には、ステップ１０３および１０５では、基地局の物理層伝達信号を受信すると同時に、ＵＥがＡＣＫを基地局に送り返し、次に、ＵＥ側のアクティブ構成または非アクティブ構成が実行され、その構成が即座に有効になる、または一定期間待った後に有効になる。
【００７４】
実際の適用中には、ＨＳ−ＳＣＣＨレス運用モードをアクティブまたは非アクティブにするための物理層伝達信号がプリセットされないことがあるが、ＨＳ−ＳＣＣＨレス運用モードをアクティブにするための物理層伝達信号が、ステップ１０４の前に生成される、または、ＨＳ−ＳＣＣＨレス運用モードを非アクティブにするための物理層伝達信号が、ステップ１０６の前に生成される。すなわち、ＨＳＤＰＡシステムのＨＳ−ＳＣＣＨレス運用モードのアクティブ状態を変更する必要があるときに、それに対応する物理層伝達信号が生成される。ＨＳ−ＳＣＣＨレス運用モードをアクティブまたは非アクティブにするための物理層伝達信号を生成する手法については、ステップ１０１の設定手法を参照されたい。
【００７５】
本発明におけるＨＳＤＰＡシステムの動作モードを制御する技術的解決策が、物理層伝達信号により実現されることを、この技術的解決策から理解することができる。ＨＳ−ＳＣＣＨレス運用モードのアクティブ状態を変更する必要があるときに、ＨＳ−ＳＣＣＨレス運用モードをアクティブまたは非アクティブにするためのプリセットされた物理層伝達信号が、ＵＥに直接送信され、ＵＥが、ＨＳ−ＳＣＣＨレス運用モードをアクティブまたは非アクティブにするための物理層伝達信号に従って、ＵＥ側のＨＳ−ＳＣＣＨレス運用モードをアクティブまたは非アクティブにする。ＨＳＤＰＡシステムの動作モードを迅速に制御するために、物理層伝達信号を採用することによりＨＳ−ＳＣＣＨレス運用モードがアクティブまたは非アクティブにされる本発明による解決策は、上位層伝達信号を採用することによりＨＳＤＰＡシステムがＨＳ−ＳＣＣＨレス運用モードに入ったり離脱したりする従来技術よる解決策と比較して、より高速であり、その結果、ＮｏｄｅＢが、ＨＳ−ＳＣＣＨレス運用モードを非アクティブにすると判断したときに、ＵＥが、ＮｏｄｅＢ側のＨＳ−ＳＣＣＨレス運用モードのアクティブ状態を迅速に知ることができ、それにより、無意味で複雑な判断を避け、ＵＥの処理資源を節約する。一方、上位層伝達信号相互作用を採用する構成と比較して、物理層伝達信号を採用する構成では、無線インタフェース資源がさらに節約される。
【００７６】
本発明は、ＵＥ側のＨＳＤＰＡシステムの動作モードを制御する方法をさらに提供する。この方法では、ネットワーク側からの、ＨＳ−ＳＣＣＨレス運用モードをアクティブまたは非アクティブにするための物理層伝達信号が受信され、ＨＳ−ＳＣＣＨレス運用モードが、ＨＳ−ＳＣＣＨレス運用モードをアクティブまたは非アクティブにするための受信された物理層伝達信号に従って、アクティブまたは非アクティブにされる。具体的な実現方法は、たとえば、以下の諸ステップを含むことがある。
【００７７】
ステップ２０１では、ネットワーク側（たとえば、基地局）からの、ＨＳ−ＳＣＣＨレス運用モードをアクティブまたは非アクティブにするための物理層伝達信号が受信される。
【００７８】
ステップ２０２では、物理層伝達信号に従って、判断が実行され、ＨＳ−ＳＣＣＨレス運用モードをアクティブにする必要があると判断された場合、この処理はステップ２０３に進み、ＨＳ−ＳＣＣＨレス運用モードを非アクティブにする必要があると判断された場合、この処理はステップ２０４に進む。
【００７９】
ステップ２０３では、ＵＥが、対応するアクティブ構成を実行する、すなわち、ネットワーク側からの、ＨＳ−ＳＣＣＨレス運用モードをアクティブにするための物理層伝達信号に従って、ＨＳ−ＳＣＣＨレス運用モードをアクティブにする。
【００８０】
ＨＳ−ＳＣＣＨレス運用モード指示ビットが、ＨＳ−ＳＣＣＨレス運用モードをアクティブまたは非アクティブにするようＵＥに指示するために、ＵＥ内でプリセットされることがある。この指示ビットはブール変数でもよく、異なるブール値が、現在のＨＳ−ＳＣＣＨレス運用モードのアクティブ状態を指示する。指示ビットはまた共通変数でもよく、異なる値が、現在のＨＳ−ＳＣＣＨレス運用モードのアクティブ状態を指示する。具体的な設定処理については、図１に示される実施形態による実現方法を参照されたい。
【００８１】
例えば、ブール変数ＨＳ−ＳＣＣＨ＿ｌｅｓｓ  ｍｏｄｅ  ａｃｔｉｖａｔｉｏｎを設定することができる。
【００８２】
ＨＳ−ＳＣＣＨ＿ｌｅｓｓ  ｍｏｄｅ  ａｃｔｉｖａｔｉｏｎ＝ｔｒｕｅのときに、それが、現在のＨＳ−ＳＣＣＨレス運用モードがアクティブ状態にあることを表すと規定される。
【００８３】
ＨＳ−ＳＣＣＨ＿ｌｅｓｓ  ｍｏｄｅ  ａｃｔｉｖａｔｉｏｎ＝ｆａｌｓｅのときに、それが、現在のＨＳ−ＳＣＣＨレス運用モードが非アクティブ状態にあることを表す。
【００８４】
このステップでの「対応するアクティブ構成を実行する」動作が、物理層伝達信号に従って、ＨＳ−ＳＣＣＨレス運用モード指示ビットをアクティブの実行を指示する値に設定することでもよい。例えば、ＨＳ−ＳＣＣＨ＿ｌｅｓｓ  ｍｏｄｅ  ａｃｔｉｖａｔｉｏｎが「ｔｒｕｅ」に設定される。
【００８５】
ステップ２０４では、ＵＥが、ＨＳ−ＳＣＣＨレス運用モードを非アクティブにするために、ネットワーク側からの、ＨＳ−ＳＣＣＨレス運用モードを非アクティブにするための物理層伝達信号に従って、それに対応する非アクティブ構成を実行する。
【００８６】
ステップ２０３を参照すると、このステップでは、ＨＳ−ＳＣＣＨレス運用モードに関する「対応する非アクティブ構成を実行する」動作が、以下の処理を含む。物理層伝達信号に従って、ＨＳ−ＳＣＣＨレス運用モード指示ビットが、アクティブの実行を指示する値と異なる値に設定され、例えば、ＨＳ−ＳＣＣＨ＿ｌｅｓｓ  ｍｏｄｅ  ａｃｔｉｖａｔｉｏｎが「ｆａｌｓｅ」に設定されるなどの、指示ビットの非アクティブ指示に従って、ＨＳ−ＳＣＣＨレス運用モードが非アクティブにされる。
【００８７】
ＨＳ−ＳＣＣＨレス運用モードがアクティブまたは非アクティブにされた後に、この方法は以下の諸ステップをさらに含む。
【００８８】
ステップ２０５では、肯定応答メッセージＡＣＫがフィードバックとしてネットワーク側に提供され、その結果、ＨＳ−ＳＣＣＨレス運用モードのアクティブ状態に対する構成が有効になり、この場合、フィードバックとしてＡＣＫをネットワーク側に提供することは、ＵＥ側が、それに対応してＨＳ−ＳＣＣＨレス運用モードのアクティブ状態を設定することを表す。
【００８９】
実際の適用中には、ネットワーク側の物理層伝達信号を受信すると同時に、ＵＥがＡＣＫを基地局に送り返し、次に、アクティブ構成または非アクティブ構成がＵＥ側で実行され、この構成が即座に有効になる、または一定期間待った後に有効になる。
【００９０】
実際の適用中には、ＵＥが、ＡＣＫを基地局に送り返さないことがあるが、以下の手法に従って、アクティブ構成または非アクティブ構成を有効になるようにする。
【００９１】
例えば、有効時間が前もって指定され、基地局が、ＨＳ−ＳＣＣＨレス運用モードをアクティブまたは非アクティブにするための物理層伝達信号を送信した後に、計時長が有効時間であるタイマをスタートすることがある。基地局から送信される物理層伝達信号が、タイムスタンプ情報を含み、ＵＥが、基地局から送信された物理層伝達信号を受信した後に、計時長が「有効時間−（現在の時間−タイムスタンプ情報により表された時間）」であるタイマを、現在の時間、物理層伝達信号内のタイムスタンプ情報、および前もって指定された有効時間に従ってスタートする。それぞれのタイマがタイムアウトしたときに、有効時間に達したと判断され、アクティブ構成または非アクティブ構成が有効になる。
【００９２】
本発明による、たとえば基地局などのネットワーク側装置、ＵＥ、およびＨＳＤＰＡシステムの具体的な実装手法が、添付図面を参照して説明される。
【００９３】
図２を参照すると、本発明による、ＨＳＤＰＡシステムの動作モードを制御するためのネットワーク側装置（基地局）の概略の構造図が示されている。ネットワーク側装置（基地局）は、判断ユニット２１０、伝達信号生成ユニット２２０、および第１の通信ユニット２３０を含む。
【００９４】
判断ユニット２１０は、ＨＳＤＰＡシステムのＨＳ−ＳＣＣＨレス運用モードのアクティブ状態を変更する必要があるか、そうでないかを判断するように構成されている。
【００９５】
伝達信号生成ユニット２２０は、ＨＳ−ＳＣＣＨレス運用モードのアクティブ状態を変更する必要があるときに、ＨＳ−ＳＣＣＨレス運用モードをアクティブまたは非アクティブにするための物理層伝達信号を生成する、またはＨＳ−ＳＣＣＨレス運用モードをアクティブまたは非アクティブにするためのプリセットされた物理層伝達信号を呼び出すように構成されている。
【００９６】
第１の通信ユニット２３０は、ＨＳ−ＳＣＣＨレス運用モードをアクティブまたは非アクティブにするようＵＥに指示するために、ＨＳ−ＳＣＣＨレス運用モードをアクティブまたは非アクティブにするための物理層伝達信号をＵＥに送信するように構成されている。
【００９７】
図２に示される伝達信号生成ユニット２２０は、少なくとも１つのサブユニット、すなわち、アクティブ伝達信号生成サブユニット２２１、または非アクティブ伝達信号生成サブユニット２２２を含む。アクティブ伝達信号生成サブユニット２２１は、ＨＳ−ＳＣＣＨレス運用モードをアクティブにする必要があるときに、ＨＳ−ＳＣＣＨレス運用モードをアクティブにするための物理層伝達信号を生成する、またはＨＳ−ＳＣＣＨレス運用モードをアクティブにするためのプリセットされた物理層伝達信号を呼び出すように構成されている。非アクティブ伝達信号生成サブユニット２２２は、ＨＳＤＰＡシステムのＨＳ−ＳＣＣＨレス運用モードを非アクティブにする必要があるときに、ＨＳ−ＳＣＣＨレス運用モードを非アクティブにするための物理層伝達信号を生成する、またはＨＳ−ＳＣＣＨレス運用モードを非アクティブにするためのプリセットされた物理層伝達信号を呼び出すように構成されている。
【００９８】
ＨＳ−ＳＣＣＨレス運用モードをアクティブまたは非アクティブにするための物理層伝達信号を構築する具体的な手法は、この方法の実施形態を参照して得られるので、本明細書では繰り返さない。
【００９９】
本発明によるネットワーク装置では、第１の通信ユニットは、確認メッセージＡＣＫまたはＮＡＣＫをＵＥにより提供されたフィードバックとして受信するようにさらに構成されている。ＡＣＫが受信された場合、受信されたＡＣＫに従って、基地局側のＨＳ−ＳＣＣＨレス運用モード上で、ＵＥに送信された物理層伝達信号に対応するアクティブ動作または非アクティブ動作が実行される。
【０１００】
図３を参照すると、本発明による、ＨＳＤＰＡシステムの動作モードを制御するためのＵＥの概略の構造図が示されている。ＵＥは、第２の通信ユニット３１０、およびアクティブ状態設定ユニット３２０を含む。
【０１０１】
第２の通信ユニット３１０は、ネットワーク側（たとえば、基地局）からの、ＨＳ−ＳＣＣＨレス運用モードをアクティブまたは非アクティブにするための物理層伝達信号を受信するように構成されている。
【０１０２】
アクティブ状態設定ユニット３２０は、ＨＳ−ＳＣＣＨレス運用モードをアクティブまたは非アクティブにするための物理層伝達信号に従って、ＨＳ−ＳＣＣＨレス運用モードをアクティブまたは非アクティブにするように構成されている。
【０１０３】
ＨＳ−ＳＣＣＨレス運用モード指示ビットが、ＨＳ−ＳＣＣＨレス運用モードをアクティブまたは非アクティブにするようＵＥに指示するために、ＵＥ内にプリセットされることがある。図３に示されるアクティブ状態設定ユニット３２０は、少なくとも１つのサブユニット、すなわち、アクティブ設定サブユニット３２１、または非アクティブ設定サブユニット３２２を含む。
【０１０４】
アクティブ設定サブユニット３２１は、ＨＳ−ＳＣＣＨレス運用モードをアクティブにするための物理層伝達信号に従って、ＨＳ−ＳＣＣＨレス運用モードのアクティブまたは非アクティブの指示ビットをアクティブの実行を指示する値に設定し、かつこの指示ビットのアクティブ指示に従って、ＨＳ−ＳＣＣＨレス運用モードをアクティブにするように構成されている。非アクティブ設定サブユニット３２２は、ＨＳ−ＳＣＣＨレス運用モードを非アクティブにするための物理層伝達信号に従って、ＨＳ−ＳＣＣＨレス運用モードの起動または非起動の指示ビットをアクティブの実行を指示する値と異なる値に設定し、かつこの指示ビットの非アクティブ指示に従って、ＨＳ−ＳＣＣＨレス運用モードを非アクティブにするように構成されている。
【０１０５】
アクティブまたは非アクティブの指示子を設定する具体的な手法は、この方法の実施形を参照して得られるので、それは本明細書で繰り返されない。
【０１０６】
本発明によるＵＥでは、第２の通信ユニット３１０が、肯定応答メッセージＡＣＫをネットワーク側に送り返すようにさらに構成されている。たとえば、アクティブ状態実行ユニット３２０がＨＳ−ＳＣＣＨレス運用モードをアクティブまたは非アクティブにする前、またはその後に、第２の通信ユニット３１０がＡＣＫをネットワーク側に送り返す。
【０１０７】
本発明によるＨＳＤＰＡシステムは、上記の実施形態におけるネットワーク側装置、およびＵＥを含む
本発明におけるＨＳＤＰＡシステムの動作モードを制御する技術的解決策が、物理層伝達信号により実現されることを、この実施形態から理解できよう。ＨＳ−ＳＣＣＨレス運用モードのアクティブ状態を変更する必要があるときに、ＨＳ−ＳＣＣＨレス運用モードをアクティブまたは非アクティブにするための物理層伝達信号がＵＥに送信され、ＵＥが、ＨＳ−ＳＣＣＨレス運用モードをアクティブまたは非アクティブにするための物理層伝達信号に従って、ＵＥ側のＨＳ−ＳＣＣＨレス運用モードをアクティブまたは非アクティブする。ＨＳ−ＳＣＣＨレス運用モードのアクティブ状態を変更する必要があると判断された後に、ＨＳ−ＳＣＣＨレス運用モードをアクティブまたは非アクティブにするための物理層伝達信号が、プリセットされることがあり、生成されることもある。ＨＳＤＰＡシステムの動作モードを迅速に制御するために、物理層伝達信号を採用することによりＨＳ−ＳＣＣＨレス運用モードがアクティブまたは非アクティブにされる本発明による解決策は、上位層伝達信号を採用することによりＨＳＤＰＡシステムがＨＳ−ＳＣＣＨレス運用モードに入ったり離脱したりする従来技術による解決策と比較して、より高速であり、その結果、例えば、ＮｏｄｅＢなどのネットワーク側が、ＨＳ−ＳＣＣＨレス運用モードを非アクティブにすると判断したときに、ＵＥが、現在のＮｏｄｅＢ側のＨＳ−ＳＣＣＨレス運用モードのアクティブ状態を迅速に知ることができ、それにより、無意味で複雑な判断を避け、ＵＥの処理資源を節約する。一方、上位層伝達信号対話を採用する構成と比較して、物理層伝達信号を採用する構成では、無線インタフェース資源がさらに節約される。
【０１０８】
上記の実施形態による方法におけるＨＳ−ＳＣＣＨの動作モードを制御する処理を、プログラムにより指示される適切なハードウェアにより完了することができることが、当業者には理解されよう。この場合、プログラムを、基地局およびＵＥの読出し可能な記憶媒体内に記憶することができ、このプログラムが実行されるときに、この方法における対応する諸ステップが実行される。記憶媒体は、たとえば、読出し専用メモリ（ＲＯＭ）／ランダム・アクセス・メモリ（ＲＡＭ）、磁気ディスク、および光ディスクなどでもよい。
【０１０９】
本発明の範囲を逸脱することなく本発明の構造に様々な変更および変形を行うことができることが、当業者には明らかであろう。上記を考えると、本発明の変更形態および変形形態が以下の特許請求の範囲およびその均等物の範囲に入る前提で、本発明は、本発明の変更形態および変形形態を含むものである。
【図１】
0005764615.tif 000002
【図２】
0005764615.tif 000003
【図３】
0005764615.tif 000004